(57)【特許請求の範囲】
【請求項１】
プログラムやデータなどコンピュータ処理に必要な情報を取り込み、記憶装置部へそれを渡す入力装置部と、入力装置部から取り込まれたプログラムやデータを記憶しておく記録装置部と、主記憶装置内のプログラムの命令を一つづつ解読して各装置の動作の指示、制御を行う制御装置部と、記録装置部に記録されている内容を外部へ送り出す出力装置部と、制御装置部に記録されているデータを基に四則演算や比較、組み合わせ等の処理を行い、その結果を再び記録装置部へ渡す演算装置部から構成されているパソコン部と、回線接続装置を通して入力されてくる着信や出力される発信を制御する電話制御部と、操作を制御する電話操作部と、電話制御部から録音の指示があると録音を制御する録音制御部と、電話制御部を通して受信される音声を処理する受信音声処理部と、受信音声処理部からの音声を出力するスピーカ部と、電話制御部を通して送信される音声を処理する送信音声処理部と、送信音声処理部への音声を受け取るマイク部から構成されている電話部を備え、電話操作部から録音の指示が入ると通話を録音するために録音制御部がパソコン側へ通話録音の指示を出し、パソコン部の制御部により通話される内容をパソコン内部に記憶し、録音終了とともに記録された通話を一つのファイルとしてパソコン内部へ保存させることにより電話部での通話を録音し、一つのファイルとして記録され、通話終了後に、通話録音ファイルを電子メールに添付することで送信が行われ、他の人へ通話内容を伝えることを特徴とするパソコン電話機。
【発明の詳細な説明】
【０００１】
【発明の属する技術分野】
本発明はモデム接続により電話回線と接続され、電子メール送受信が可能な電話機能を有するパソコン電話機に関する。
【０００２】
【従来の技術】
従来よりパソコン電話機では、通話時にメモをとる必要が生じた場合、電話しながら手書きでメモをとり、また、その内容を人に伝える場合も、メモを手渡すか、通話の内容をテキスト化し電子メールで転送するという手段がとられていた。
【０００３】
図３は、従来のパソコン電話機の構成を示すブロック図である。
図において１６はパソコン部であり、構成要素としてプログラムやデータなどのコンピュータ処理に必要な情報を取り込み、記録装置部へそれを渡す入力装置部１７と、前記入力装置部１７から取り込まれたプログラムやデータを記録しておく記録装置部１８と、前記記録装置部１８に記録されている内容を外部へ送り出す出力装置部１９と、制御装置部の指示と記録装置部１８に記録されているデータを基に四則演算や比較、組み合わせ等の処理を行い、その結果を前記記録装置部１８へ渡す演算装置部２１と、主記録装置内のプログラムの命令を一つづつ解読して各装置の動作の指示、制御を行う制御装置部２２と、前記演算部２１と制御装置部２２からなる中央処理装置部２０を備えている。
【０００４】
また、２３は電話部であり、構成要素として前記パソコン部１６とのインターフェースを司り、パソコン部１６を通じて送受信される電話通信データを制御する電話制御部２４と、電話における操作を制御する電話操作部２５と、前記電話制御部２４から受信されてくる音声を処理する受信音声処理部２７と、前記受信音声処理部２７から処理された音声を発するスピーカ部２６と、通話などの際、音声を受信するマイク部２９と、前記マイク部２９で受信される音声を送信するために処理する送信音声処理部２８を備えている。
【０００５】
以上の各構成要素よりなる従来のパソコン電話機について、その通話内容を他の人へ電子メールにて送信する動作を説明する。
【０００６】
図４のフローチャートは、通話中にメモ書きされた内容を、通話後に他の人へ電子メールにての送信に関する処理の流れを示している。図示のように待機中（Ｆ１２）に着信（Ｆ１３）があると、モデムが対応し（Ｆ１４）、制御装置部２２を介して着信呼出（Ｆ１５）となる。電話制御部２４が応答し（Ｆ１６）、受信音声処理部２７と送信音声処理部２８を介して通話が行われる（Ｆ１７）。この通話中にメモをとる必要性が生じると、通話しながら通話者は手書きで内容をメモする（Ｆ１８）。電話制御部２４を通して通話終了（Ｆ１９）が行われると、電子メール送信のためにメモ書きされた内容が入力装置部１７を通してテキスト化される（Ｆ２０）。テキスト化されたメモ書きを制御装置部２２より電子メールにて送信が行われ（Ｆ２１）、他の人へ通話内容が伝えられる。
【０００７】
【発明が解決しようとする課題】
しかしながら、上記のような従来のパソコン電話機では、通話中にメモを手書きし、それを通話終了後にテキスト化し、電子メールで送信するので、手間を生じ、また、時間を費やしてしまうという欠点を有している。
【０００８】
本発明は、上記課題を解決し、簡単に他の人へ通話内容を送信でき、また、通話中の内容保存が簡易にできるパソコン電話機を提供することを目的とする。
【０００９】
【課題を解決するための手段】
本発明は前記目的を達成するため、パソコン部と電話部よりなるパソコン電話機であって、電話部に、電話制御部を通して行われる通話を録音しておく録音制御部を設け、通話録音を可能とし、また、録音された音声をパソコン部にて音声ファイルとして記録させ、通話中の内容保存をなし、その記録された音声ファイルを電子メールにて他の人に送信可能とする。
【００１０】
本発明によれば、簡単に他の人へ通話内容を送信でき、また、通話中の内容保存が簡易にできるパソコン電話機とすることができる。
【００１１】
【発明の実施の形態】
本発明の請求項１に記載の発明は、プログラムやデータなどコンピュータ処理に必要な情報を取り込み、記憶装置部へそれを渡す入力装置部と、入力装置部から取り込まれたプログラムやデータを記憶しておく記録装置部と、主記憶装置内のプログラムの命令を一つずつ解読して各装置の動作の指示、制御を行う制御装置部と、記録装置部に記録されている内容を外部へ送り出す出力装置部と、制御装置部に記録されているデータを基に四則演算や比較、組み合わせ等の処理を行い、その結果を再び記録装置部へ渡す演算装置部から構成されているパソコン部と、回線接続装置を通して入力されてくる着信や出力される発信を制御する電話制御部と、操作を制御する電話操作部と、電話制御部から録音の指示があると録音を制御する録音制御部と、電話制御部を通して受信される音声を処理する受信音声処理部と、受信音声処理部からの音声を出力するスピーカ部と、電話制御部を通して送信される音声を処理する送信音声処理部と、送信音声処理部への音声を受け取るマイク部から構成されている電話部を備え、電話操作部から録音の指示が入ると通話を録音するために録音制御部がパソコン側へ通話録音の指示を出し、パソコン部の制御部により通話される内容をパソコン内部に記憶し、録音終了とともに記録された通話を一つのファイルとしてパソコン内部へ保存させることにより電話部での通話を録音し、一つのファイルとして記録され、通話終了後に、通話録音ファイルを電子メールに添付することで送信が行われ、他の人へ通話内容を伝えるパソコン電話機としたものであり、通話内容の送信、通話中の内容保存に手間を要しなく、また、時間を費やすことなくできるという作用を有する。
【００１２】
以下に本発明のパソコン電話機の実施の形態について、図面を参照して説明する。
【００１３】
（実施の形態１）
図１は、本発明の実施の形態１のパソコン電話機の構成を示すブロック図である。
【００１４】
図において、１はパソコン部であり、構成要素としてプログラムやデータ等のコンピュータ処理に必要な情報を取り込み、記録装置部へそれを渡す入力装置部２と、前記入力装置部２から取り込まれたプログラムやデータを記録しておく記録装置部３と、前記記録装置部３に記録されている内容を外部へ送り出す出力装置部４と、制御装置部の指示と記録装置部３に記録されているデータを基に四則演算や比較、組み合わせ等の処理を行い、その結果を前記の記録装置部３へ渡す演算装置部６と、主記録装置内のプログラムの命令を一つづつ解読して各装置の動作の指示、制御を行う制御装置部７と、前記演算装置部６と制御装置部７からなる中央処理装置部５を備えている。
【００１５】
また、８は電話部であり、構成要素として前記パソコン部１とのインターフェースを司り、パソコン部１を通じて送受信される電話通信データを制御する電話制御部９と、通話内容の録音を制御する録音制御部１０と、電話における操作を制御する電話操作部１１と、前記電話制御部９から受信されてくる音声を処理する受信音声処理部１３と、前記受信音声処理部１３から処理された音声を発するスピーカ１２と、通話などの際、音声を受信するマイク部１５と、前記マイク部１５で受信される音声を送信のために処理する送信音声処理部１４を備えている。
【００１６】
以上の各構成要素よりなるパソコン電話機について、その通話内容を他の人へ電子メールにて送信する動作を説明する。
【００１７】
図２のフローチャートは、前記パソコン電話機における通話後に通話内容を他の人へ電子メールにての送信に関する処理の流れを示している。
【００１８】
図に示すように、待機中（Ｆ１）に着信（Ｆ２）があると、モデムが応答し（Ｆ３）、制御装置部７を介して着信呼出（Ｆ４）となる。電話制御部９が応答し（Ｆ５）、受信音声処理部１３と送信音声処理部１４を介して通話が行われる（Ｆ６）。この通話中に電話操作部１１より録音操作が行われると、録音制御部１０が働き録音処理を行う。録音された通話は録音制御部１０より制御装置部７から記録装置部３へ渡され、ファイルとして記録される。電話制御部９を通して通話終了（Ｆ８）が行われると、電子メールにて記録装置部３にて記録されている通話録音ファイルを添付することで送信（Ｆ９）が行われ、他の人へ通話内容が伝えられ、処理が終了する（Ｆ１０，Ｆ１１）。
【００１９】
【発明の効果】
以上の説明より明らかなように、本発明のパソコン電話機は通話中に通話内容をパソコン上に録音でき、ファイル化された通話録音を電子メールにて他の人へ送信が可能なため、簡単に通話内容の記録が可能であり、また、その内容を他の人へ電子メールにて簡単に送信でき、その効果は大きい。
【図面の簡単な説明】
【図１】  本発明の実施の形態１のパソコン電話機の構成を示すブロック図
【図２】  同パソコン電話機における電子メール送信処理のフローチャート
【図３】  従来のパソコン電話機の構成を示すブロック図
【図４】  同パソコン電話機における電子メール送信処理のフローチャート
【符号の説明】
１  パソコン部
２  入力装置部
３  記録装置部
４  出力装置部
５  中央処理装置部
６  演算装置部
７  制御装置部
８  電話部
９  電話制御部
１０  録音制御部
１１  電話操作部
１２  スピーカ部
１３  受信音声処理部
１４  送信音声処理部
１５  マイク部
【図１】
0003708235.tif 000002
【図２】
0003708235.tif 000003
【図３】
0003708235.tif 000004
【図４】
0003708235.tif 000005